(57)【要約】【課題】枠架台を用いることなく、部品点数を減らし軽量化を図るとともに、異なるピッチ幅の折板屋根にも共通して使用できるソーラーパネル用固定具を提供する。【解決手段】ソーラーパネルの端部を挟持する挟持部と折板屋根の山部の平坦部に固定される支持部を備える端部長支持具と、ソーラーパネルの端部を挟持する挟持部と折板屋根の山部の平坦部に固定される支持部を備える端部短支持具と、隣り合うソーラーパネルの間に配置され両端部を挟持する挟持部と折板屋根の山部の平坦部に固定される支持部を備える内部長支持具と、隣り合うソーラーパネルの間に配置され両端部を挟持する挟持部と折板屋根の山部の平坦部に固定される支持部を備える内部短支持具とからなり、前記挟持部と支持部が前記折板屋根の上下傾斜方向と交差する方向に回動し角度可変に連結固定され、複数枚のソーラーパネルを連結して折板屋根に固定するソーラーパネル用固定具とした。【選択図】図１
2014047570.tif 000002
【特許請求の範囲】
【請求項１】
折板屋根にソーラーパネルを固定するソーラーパネル用固定具であって、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで長垂下部が固定される略Ｌ字形の長脚金具、前記長脚金具の上板に載置され端部に起立部を備え前記ソーラーパネルの底部を載せ前記起立部で前記底部の端部を係止する受け金具、前記ソーラーパネルの上部から前記受け金具にボルトによって押圧される略Ｌ字形の押さえ金具を備え、前記ソーラーパネルの端部を挟持し、前記折板屋根に固定する端部長支持具と、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで前記長脚金具の長垂下部の長さ以下の長さの垂下部が固定される略Ｌ字形の短脚金具、前記短脚金具の上板に載置され端部に起立部を備え前記ソーラーパネルの底部を載せ前記起立部で前記底部の端部を係止する受け金具、前記ソーラーパネルの上部から前記受け金具にボルトによって押圧される略Ｌ字形の押さえ金具を備え、前記ソーラーパネルの端部を挟持し、前記折板屋根に固定する端部短支持具と、
からなり、
前記端部長短支持具のセットが、折板屋根の上下方向のソーラーパネルの両端部にそれぞれ１セット用いられ、前記ベース金具及び長脚金具と前記ベース金具及び短脚金具の連結部を支点に、前記折板屋根の上下傾斜方向と交差する方向に回動し角度可変に連結固定されることを特徴とするソーラーパネル用固定具。
【請求項２】
複数枚のソーラーパネルを連結して折板屋根にソーラーパネルを固定する請求項１に記載のソーラーパネル用固定具であって、
さらに、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで長垂下部が固定される略Ｌ字形の長脚金具、前記長脚金具の上板に載置され両端部に起立部を備え前記ソーラーパネルの底部を載せ前記両起立部で前記底部の端部を係止する内部受け金具、前記ソーラーパネルの上部から前記受け金具にボルトによって押圧される両端が逆略Ｌ字形とした内部押さえ金具を備え、隣り合うソーラーパネルの間に配置され両端部を挟持し、前記折板屋根に固定する内部長支持具と、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで前記長脚金具の長垂下部以下の長さの垂下部が固定される略Ｌ字形の短脚金具、前記短脚金具の平坦具に載置され両端部に起立部を備え前記ソーラーパネルの底部を載せ前記両起立部で前記底部の端部を係止する内部受け金具、前記ソーラーパネルの上部から前記受け金具にボルトによって押圧される両端が逆略Ｌ字形とした内部押さえ金具を備え、隣り合うソーラーパネルの間に配置され両端部を挟持し、前記折板屋根に固定する内部短支持具と、
を含むことを特徴とするソーラーパネル用固定具。
【請求項３】
ソーラーパネルの端部を挟持する挟持部と折板屋根の山部の平坦部に固定される支持部を備える端部長支持具と、
ソーラーパネルの端部を挟持する挟持部と折板屋根の山部の平坦部に固定される支持部を備える端部短支持具と、
隣り合うソーラーパネルの間に配置され両端部を挟持する挟持部と折板屋根の山部の平坦部に固定される支持部を備える内部長支持具と、
隣り合うソーラーパネルの間に配置され両端部を挟持する挟持部と折板屋根の山部の平坦部に固定される支持部を備える内部短支持具と、
からなり、
前記挟持部と支持部が前記折板屋根の上下傾斜方向と交差する方向に回動し角度可変に連結固定され、複数枚のソーラーパネルを連結して折板屋根にソーラーパネルを固定するソーラーパネル用固定具。
【発明の詳細な説明】
【技術分野】
【０００１】
本発明は、折板屋根にソーラーパネルを固定するソーラーパネル用固定具に関する。
【背景技術】
【０００２】
ここで、図９にしめすように、（重ね式）折板屋根３０とは、金属の板でできており、主に工場、ハウスなどの屋根として使用されるもので、頂上に平坦部３０ｂを形成する山部３０ａと、谷部３０ｃと、山部３０ａと谷部３０ｃを連絡する傾斜部３ｄとが、交互に連続し波形をしている。繰り返しの単位（長さ）をピッチという。
【０００３】
折板屋根３０は、必ずしも太陽光発電に適した向きに向いているとは限らない。従って、折板屋根３０と異なる向きにソーラーパネル２０を傾け、ソーラーパネル２０による太陽光発電効率を高めたいという課題が存在する。
【０００４】
ソーラーパネル２０を折板屋根３０に固定する固定具として、例えば、図９に示す非特許文献１の枠状架台４０が知られている。しかしながら、非特許文献１では、ソーラーパネル２０の設置向きを折板屋根３０と異なる向きに変更するためには、複数の異なる形状の架台、その他部品が必要であった。
【０００５】
また、折板屋根３０に直接固定するものでなく、枠（ベース材、固定ベース材）を必要としており、部品点数が多く、費用、固定作業が繁雑であった。さらに、異なるピッチの折板屋根用の部品も揃えなければならず、より多くの部品点数にならざるを得なかった。
【０００６】
他方、ソーラーパネルの設置向きを調整する固定具として、特許文献１の発明が公開されている。
【０００７】
特許文献１の屋根面取付治具３は、太陽電池モジュール等の取付物を折板屋根面に簡易かつ安定的に取付けるため、折板屋根２の頂部２１を挟んで配置する一対の挟持部３１１と、一方の挟持部の上縁から上方に延出されるとともに折り返されて他方の挟持部の上縁に繋がる連結部３１２と、該連結部の折り返し部３１２Ａの一部を開口した挿込み口３１３と、該挿込み口３１３に下部を挿し込んで取付物を支持する支持体３２と、前記連結部３１２の対向する２面と前記支持体３２とを貫通する貫通孔３１４に挿通されて連結部３１２の対向する２面を緊結させるボルト部３３とを備え、前記挟持部３１１及び連結部３１２に連結され、折板屋根２の頂部２１の両側屋根面２１１に着座する着座部３１５を備え、取付ける支持体の長さや台座部の角度を変えるだけで容易に設置角度を調整することができるというものである。その他、特許文献２、３などの固定具も公開されている。
【０００８】
しかしながら、特許文献１では、複数枚の太陽電池モジュールを設置する場合でも、１枚の太陽電池モジュールに、４つの取付治具（３Ａ−３Ｄ）を用いているため、やはり部品点数は、覆いものであった。
【先行技術文献】
【特許文献】
【０００９】
【特許文献１】特開２０１０−７７６２１号公報
【特許文献２】特開２０１１−１４０８６１号公報
【特許文献３】特開２０１２−３１６７２号公報
【非特許文献】
【００１０】
【非特許文献１】ネグロス電工株式会社  太陽電池アレイ用架台「サンストラット（登録商標）」２０１２年３月現在の電子チラシ（http://www.negurosu.co.jp/products/sunstrud/pdf/sp01.pdf）、第１１ページ
【発明の概要】
【発明が解決しようとする課題】
【００１１】
そこで、本発明は、従来の枠架台を用いることなく、部品点数を減らし軽量化を図るとともに、異なるピッチ幅の折板屋根にも共通して使用できるソーラーパネル用固定具を提供することを目的とするものである。
【課題を解決するための手段】
【００１２】
本発明は、上記課題を解決するために、
（１）
折板屋根にソーラーパネルを固定するソーラーパネル用固定具であって、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで長垂下部が固定される略Ｌ字形の長脚金具、前記長脚金具の上板に載置され端部に起立部を備え前記ソーラーパネルの底部を載せ前記起立部で前記底部の端部を係止する受け金具、前記ソーラーパネルの上部から前記受け金具にボルトによって押圧される略Ｌ字形の押さえ金具を備え、前記ソーラーパネルの端部を挟持し、前記折板屋根に固定する端部長支持具と、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで前記長脚金具の長垂下部の長さ以下の長さの垂下部が固定される略Ｌ字形の短脚金具、前記短脚金具の上板に載置され端部に起立部を備え前記ソーラーパネルの底部を載せ前記起立部で前記底部の端部を係止する受け金具、前記ソーラーパネルの上部から前記受け金具にボルトによって押圧される略Ｌ字形の押さえ金具を備え、前記ソーラーパネルの端部を挟持し、前記折板屋根に固定する端部短支持具と、
からなり、
前記端部長短支持具のセットが、折板屋根の上下方向のソーラーパネルの両端部にそれぞれ１セット用いられ、前記ベース金具及び長脚金具と前記ベース金具及び短脚金具の連結部を支点に、前記折板屋根の上下傾斜方向と交差する方向に回動し角度可変に連結固定されることを特徴とするソーラーパネル用固定具の構成とした。
（２）
複数枚のソーラーパネルを連結して折板屋根にソーラーパネルを固定する（１）に記載のソーラーパネル用固定具であって、
さらに、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで長垂下部が固定される略Ｌ字形の長脚金具、前記長脚金具の上板に載置され両端部に起立部を備え前記ソーラーパネルの底部を載せ前記両起立部で前記底部の端部を係止する内部受け金具、前記ソーラーパネルの上部から前記受け金具にボルトによって押圧される両端が逆略Ｌ字形とした内部押さえ金具を備え、隣り合うソーラーパネルの間に配置され両端部を挟持し、前記折板屋根に固定する内部長支持具と、
折板屋根の山部に嵌り留め具で折板屋根に固定される座金具、前記座金具に上に載置され前記留め具で前記座金具と連結するとともに前記折板屋根に固定される略Ｌ字形のベース金具、前記ベース金具の縦板にボルトで前記長脚金具の長垂下部以下の長さの垂下部が固定される略Ｌ字形の短脚金具、前記短脚金具の平坦具に載置され両端部に起立部を備え前記ソーラーパネルの底部を載せ前記両起立部で前記底部の端部を係止する内部受け金具、前記ソーラーパネルの上部から前記受け金具にボルトによって押圧される両端が逆略Ｌ字形とした内部押さえ金具を備え、隣り合うソーラーパネルの間に配置され両端部を挟持し、前記折板屋根に固定する内部短支持具と、
を含むことを特徴とするソーラーパネル用固定具の構成とした。
（３）
ソーラーパネルの端部を挟持する挟持部と折板屋根の山部の平坦部に固定される支持部を備える端部長支持具と、
ソーラーパネルの端部を挟持する挟持部と折板屋根の山部の平坦部に固定される支持部を備える端部短支持具と、
隣り合うソーラーパネルの間に配置され両端部を挟持する挟持部と折板屋根の山部の平坦部に固定される支持部を備える内部長支持具と、
隣り合うソーラーパネルの間に配置され両端部を挟持する挟持部と折板屋根の山部の平坦部に固定される支持部を備える内部短支持具と、
からなり、
前記挟持部と支持部が前記折板屋根の上下傾斜方向と交差する方向に回動し角度可変に連結固定され、複数枚のソーラーパネルを連結して折板屋根にソーラーパネルを固定するソーラーパネル用固定具の構成とした。
【発明の効果】
【００１３】
本発明は、以上の構成であるため、折板屋根に、架台枠を使用することなく、ソーラーパネルを固定することができ、ソーラーパネルの向きを折板屋根の向きと異なる向きに向ける場合でも、部品点数が少なくて済む。したがって、低コストかつ簡易に軽量化してソーラーパネルを折板屋根に固定することができる。
【００１４】
さらに、本発明であるソーラーパネル用固定具は、折板屋根のピッチに応じて挟持部と支持部の連結部を支点に回動させ、角度可変に連結部を連結固定することができるので、異なるピッチの折板屋根にソーラーパネルを固定する場合でも、共通して使用することができるため、汎用性があり、部品調達、施工も容易である。
【図面の簡単な説明】
【００１５】
【図１】本発明であるソーラーパネル用固定具の斜視図である。
【図２】（Ａ）端部短支持具、（Ｂ）内部短支持具の斜視模式図である。
【図３】（Ａ）端部短支持具の分解斜視模式図である。（Ｂ）は端部長支持具の長脚金具の斜視模式図である。
【図４】（Ａ）内部短支持具の分解斜視模式図である。（Ｂ）は内部長支持具の長脚火金具の斜視模式図である。
【図５】端部短支持具（図１Ａ−Ａ線位）の断面模式図である。
【図６】内部短支持具（図１Ｂ−Ｂ線位）の断面模式図である。
【図７】本発明であるソーラーパネル用固定具を用いて異なるピッチの折板屋根にソーラーパネルを固定したときの図１（図５）矢視Ｃの模式図である。（Ａ）２００ｍｍピッチ、（Ｂ）２５０ｍｍピッチ、（Ｃ）３００ピッチの折板屋根の場合である。
【図８】本発明であるソーラーパネル用固定具を用いて５００ｍｍピッチの折板屋根にソーラーパネルを固定したときの図１（図５）矢視Ｃの模式図である。
【図９】従来のソーラーパネル用架台を用いてソーラーパネルを折板屋根に固定したときの斜視模式図である。
【発明を実施するための形態】
【００１６】
以下、図面に基づき本発明について詳細に説明する。なお、本発明は実施例に限定されるものではない。
【実施例１】
【００１７】
図１に示すように、本発明であるソーラーパネル用固定具１は、複数枚（ここでは、２枚）のソーラーパネル２０を、従来の枠状架台４０を用いることなく、折板屋根３０に直接固定するための複数の金具からなる。
【００１８】
ソーラーパネル用固定具１は、折板屋根３０の上下方向のソーラーパネル２０の両端部を挟持して折板屋根３０に固定する端部長支持具２、２及び端部短支持具３、３と、ソーラーパネル２０間に配置され、隣り合うソーラーパネル２０を連結挟持して、折板屋根３０に固定する内部長支持具４及び内部短支持具５とからなる。
【００１９】
なお、１枚のソーラーパネル２０を折板屋根３０に固定する場合は、端部長短支持具２、３の１セットで、折板屋根３０の上下方向のソーラーパネル２０の両端部を２箇所挟持（１セット上下両辺×２箇所＝４箇所）して、折板屋根３０に固定すればよい。
【００２０】
図２に示すように、端部短支持具３は、座金具６と、ベース金具７と、短脚金具９と、受け金具１０と、押さえ金具１１と、それらを連結する各種、ボルト、ナット、ワッシャーと、からなり、留め具１４によって、折板屋根３０に固定される。以下、それら部品について図２−８を参照して詳しく説明する。
【００２１】
座金具６は、穴６ｃが穿設された平坦な上板６ａと、上板６ａから斜め下に連設された左右の傾斜板６ｂとからなり、断面略コの字形で、折板屋根の山部３０ａに嵌まり、留め具１４によってベース金具７とともに、折板屋根３０に固定される。
【００２２】
即ち、上板６ａ及び傾斜板６ｂは、それぞれ折板屋根３０の平坦部３０ｂ及び傾斜部３０ｄに対応した形状になる。これにより、折板屋根３０から端部短支持具３のズレを防止する。異なるピッチの折板屋根でも、おおよそ山部３０ａの平坦部３０ｂの幅、傾斜部３０ｄの角度は近似しているので、同じ座金具６を用いることができる。
【００２３】
ここに示した座金具６は、重ね式の折板屋根３０に適合した形状であり、はぜ式折板屋根に本発明であるソーラーパネル用固定具を用いる場合は、折板屋根の山部３０ａ上に形成される隆起に嵌合する形状の座金具を用いること、或いは前記隆起に固定され座金具６を固定することができる形状の金具を別途用いればよい。
【００２４】
ベース金具７は、穴７ｃが穿設された平坦な底板７ａと、底板７ａの端部から起立し穴７ｄが穿設された縦板７ｂとからなり、断面略Ｌ字形で、底板７ａが座金具６の上板６ａ上に載置され、留め具１４によって、座金具６に連結するとともに折板屋根３０に固定される。
【００２５】
穴７ｃは、留め具１４を挿通するための穴で、穴７ｄは、短脚金具９と連結するためのボルト１５ａを挿通するための穴である。
【００２６】
短脚金具９は、穴９ｃが穿設された上板９ａと、上板９ａの端部から垂下し長孔９ｄが穿設された垂下部９ｂとからなり、断面略Ｌ字形で、上板９ａに受け金具１０を連結し、垂下部９ｂはベース金具７に連結する。
【００２７】
穴９ｃは、受け金具１０及び押さえ金具１１と連結するためのボルト１５を挿通するための穴であり、長孔９ｄベース金具７の縦板７ｂに連結するためのボルト１５ａを挿通する穴である。ベース金具７と連結するための穴を長孔９ｄとしたのは、設置、設計誤差によるズレを許容するためである。
【００２８】
受け金具１０は、穴１０ｃが穿設された平板１０ａと、平板１０ａの端部から上に向かって起立した起立部１０ｂとからなり、断面略Ｌ字形で、短脚金具９の上板９ａに載置され、上にソーラーパネル２０の底部２０ｅを載せ、図５に示すように、起立部１０ｂでソーラーパネル２０の底部２０ｅの端部が受け金具１０から脱落しないよう係止する。
【００２９】
穴１０ｃは、短脚金具９及び押さえ金具１１と連結するためのボルト１５を挿通するための穴である。
【００３０】
なお、屋根に載置されるソーラーパネル２０は、図５、６に示すように、一般に、発電部であるモジュール２０ａを、枠２０ｂで挟持している。枠２０ｂは、モジュール２０ａ端部を挟み込む挟持部２０ｃと、挟持部２０ｃから垂下した側壁２０ｄと、側壁２０ｄから内部に向け少し突出した底部２０ｅからなる。
【００３１】
押さえ金具１１は、穴１１ｃが穿設された上板１１ａと、上板１１ａの端部から垂下しした縦板１１ｂからなり、断面略Ｌ字形で、図５に示すように、ボルト１５及びナット１６で連結すると上板１１ａで受け金具１０に載置されたソーラーパネル２０を押圧するとともに、縦板１１ｂが受け金具１０の平板１０ａに当接し、上板１１ａの傾きを防止する。
【００３２】
穴１１ｃは、短脚金具９及び受け金具１０と連結するためのボルト１５を挿通するための穴である。
【００３３】
留め具１４は、図５に示すように、内傘１４ｂを備えるボルト１４ａと、外傘１４ｃを備えるナット１４ｄとからなる。ボルト１４ａを折板屋根３０の平坦部３０ｂに穿設した穴３０ｅに外から挿入し、外傘１４ｃを備えるナット１４ｄをボルト１４ａに嵌めて、締め付けることでと内傘１４ｂが開き、折板屋根３０の上から座金具６及びベース金具７を折板屋根３０に固定することができる。外傘１４ｃは、ナット１４ｄに係止されているがナット１４ｄとは別に回転することができる。
【００３４】
このような留め具１４は、一般に流通している。ベース金具７を折板屋根３０に固定する留め具は、ここに示す留め具１４に限定されるものではない。
【００３５】
短脚金具９と受け金具１０と押さえ金具１１の連結は、図３に示すように、図上方から各穴１１ｃ、１０ｃ、９ｃにボルト１５を挿通し、短脚金具９の上板９ａの底面のナット１６によって締め付ける。ボルト１５ａの頭が、反ソーラーパネル２０側に位置するようにすると固定作業の作業性がよい。
【００３６】
このとき、受け金具１０と押さえ金具１１によって、ソーラーパネル２０は、図５に示すように、端部短支持具３に挟持固定される。ボルト１５、ナット１６の連結に際しては、周知のワッシャー１７、バネワッシャー１７ａを用いて緩みを防止するとよい。
【００３７】
ベース金具７と短脚金具９の連結は、図３に示すように、図左から長孔９ｄ及び穴７ｄにボルト１５ａを挿通し、ベース金具７の縦板７ｂの背面のナット１６ａによって締め付ける。
【００３８】
このとき、折板屋根３０のピッチ幅に応じて、短脚金具９の角度を折板屋根３０の上下傾斜方向と交差する方向に回動し連結固定する。ボルト１５ａ、ナット１６ａの連結に際しては、周知のワッシャー１７、バネワッシャー１７ａを用いて緩み防止するとよい。
【００３９】
また、図２に示すように、内部短支持具５は、座金具６と、ベース金具７と、短脚金具９と、内部受け金具１２と、内部押さえ金具１３と、留め具１４と、それらを連結する各種、ボルト、ナット、ワッシャーと、からなる。内部受け金具１２及び内部押さえ金具１３以外の金具は、端部短支持具３と共通するので、共通する部材の説明を省略する。
【００４０】
内部受け金具１２は、穴１２ｄが穿設された平板１２ａと、平板１２ａの両端部に起立した左右起立部１２ｂ、１２ｃとからなり、断面略Ｌ字形で、短脚金具９の上板９ａに載置され、上にソーラーパネル２０の底部２０ｅを載せ、図６に示すように、左右起立部１２ｂ、１２ｃで、ソーラーパネル２０の底部２０ｅの端部が内部受け金具１０から脱落しないよう係止する。
【００４１】
穴１２ｄは、短脚金具９及び内部押さえ金具１３と連結するためのボルト１５を挿通するための穴である。
【００４２】
内部押さえ金具１３は、穴１３ｄが穿設された底板１３ａと、底板１３ａの両端部から起立した逆略Ｌ字形の左右逆Ｌ字部１３ｂ、１３ｃとからなる。
【００４３】
穴１３ｄは、短脚金具９及び内部受け金具１２と連結するためのボルト１５を挿通するための穴である。ボルト１５でそれら金具と連結することで、左右逆Ｌ字部１３ｂ、１３ｃが、図６に示すように、隣り合うソーラーパネル２０、２０の端部を押圧し、内部受け金具１２とともに、ソーラーパネル２０を挟持固定する。
【００４４】
短脚金具９と内部受け金具１２と内部押さえ金具１３の連結は、図４に示すように、図下方から各穴９ｃ、１２ｄ、１３ｄにボルト１５を挿通し、内部押さえ金具１３の底板１３ａの上面のナット１６によって締め付ける。また、内部受け金具１２と内部押さえ金具１３との間にもナット１６ｂを用いる。
【００４５】
ナット１６ｂは、内部受け金具１２から下の各金具を仮留めするために用いるものである。隣り合うソーラーパネル２０、２０を内部受け金具１２に載置した後に、最後に内部押さえ金具１３をナット１６でソーラーパネル２０に押圧する。
【００４６】
このとき、内部受け金具１２と内部押さえ金具１３によって、ソーラーパネル２０は、図６に示すように、内部短支持具５に挟持固定される。ボルト１５、ナット１６、１６ｂの連結に際しては、周知のワッシャー１７、バネワッシャー１７ａを用いて緩みを防止するとよい。
【００４７】
ベース金具７と短脚金具９の連結は、図４に示すように、図左から穴７ｄ及び長孔９ｄにボルト１５ａを挿通し、短脚金具９の垂下部９ｂの背面のナット１６ａによって締め付ける。
【００４８】
このとき、折板屋根３０のピッチ幅に応じて、短脚金具９の角度を折板屋根３０の上下傾斜方向と交差する方向に回動し連結固定する。ボルト１５ａ、ナット１６ａの連結に際しては、周知のワッシャー１７、バネワッシャー１７ａを用いて緩みを防止するとよい。
【００４９】
なお、端部長支持具２及び内部長支持具４は、短脚金具９が、長脚金具８に変わるだけである。長脚金具８は、短脚金具９の垂下部９ｂより長い長垂下部８ｂとした点以外は同じである。勿論、折板屋根３０と同じ向きに向けてソーラーパネル２０を固定する場合には、長脚金具８、短脚金具９の長垂下部８ｂと垂下部９ｂとは同じ長さにすればよい。
【００５０】
また、何れの金具もソーラーパネル２０を支持する強度がある金属製の板、例えばステンレスに穴を穿設し、折曲げるだけで形成できるため、加工も極めて容易である。
【００５１】
このようにしてなるソーラーパネル用固定具１は、図７、８に示すように、異なるピッチ（２００ｍｍ、２５０ｍｍ、３００ｍｍ、５００ｍｍ）の折板屋根３０にソーラーパネル２０を固定することができる。
【００５２】
即ち、ベース金具７と、長脚金具８（短脚金具９）の連結部（ボルト１５ａ）を支点に、長脚金具８（短脚金具９）から上の部品が１体として、折板屋根３０の傾きに直交する方向に回動し連結固定されるためである。
【００５３】
長脚金具８を約１７０ｍｍとし、短脚金具９を約７０ｍｍとした場合には、ソーラーパネル２０を約６°−９°傾けられる。長脚金具８、短脚金具９の長さを変更すれば、折板屋根３０の向に対してソーラーパネル２０の向きの任意の異なる角度に変更して固定することができる。
【００５４】
短脚金具９（又は長脚金具８）、受け金具１０、押さえ金具１１及びそれらを連結するボルトナット等、又は短脚金具９（又は長脚金具８）、内部受け金具１２、内部押さえ金具１３及びそれらを連結するボルトナット等のセットのセットがソーラーパネル２０を挟持する挟持部となる。
【００５５】
座金具６、ベース金具７及びそれらを連結するボルトナット、留め具１４等のセットが支持部となり、挟持部と角度可変に連結固定されるとともに折板屋根３０に固定される。即ち、それら金具を一体としても、別体としても、本願発明の技術的範囲に属することとなる。
【００５６】
これにより、ピッチの異なる折板屋根３０でも、部品を共通して使用して、ソーラーパネル２０を固定することができる。
【００５７】
次に、１枚のソーラーパネル２０を端部長短支持具２、３によって折板屋根３０に固定する手順について説明する。先ず、折板屋根３０の山部３０ａの平坦部３０ｂに穴３０ｅを穿設する。次に、端部長短支持具２、３の座金具６、ベース金具７の穴６ｃ、７ｃ、折板屋根３０の穴３０ｅに留め具１４のボルト１４ａを挿通し、続いてナット１４ｄをボルト４ａに嵌めて、折板屋根３０に端部長短支持具２、３を固定する。
【００５８】
なお、長脚金具８、短脚金具９、受け金具１０、押さえ金具１１は、予めベース金具７の縦板７ｂに緩く組み立てておく。或いは座金具６及びベース金具７を折板屋根３０に固定した後であってソーラーパネル２０を受け金具１０に載置する前までに、緩く組み立てればよい。
【００５９】
次に、ソーラーパネル２０の底部２０ｅを受け金具１０の起立部１０ｂに係止するように、受け金具１０に嵌め、各ボルト１５、１５ａ、各ナット１６、１６ａを締め付ける。これにより、ソーラーパネル２０は、ソーラーパネル用固定具１を介して、折板屋根３０に固定される。
【００６０】
次に、複数枚のソーラーパネル２０を本発明であるソーラーパネル用固定具１によって折板屋根３０に固定する手順について説明する。先ず、折板屋根３０の山部３０ａの平坦部３０ｂに穴３０ｅを穿設する。次に、端部長短支持具２、３及び内部長短支持具４、５の座金具６、ベース金具７の穴６ｃ、７ｃ、折板屋根３０の穴３０ｅに留め具１４のボルト１４ａを挿通し、続いてナット１４ｄをボルト４ａに嵌めて、折板屋根３０に端部長短支持具２、３及び内部長短支持具４、５を固定する。
【００６１】
なお、端部長短支持具２、３の長脚金具８、短脚金具９、受け金具１０、押さえ金具１１は、予めベース金具７の縦板７ｂに連設して緩く組み立てておくか、座金具６及びベース金具７を折板屋根３０に固定した後であってソーラーパネル２０を受け金具１０に載置する前までに、緩く組み立てればよい。
【００６２】
他方、内部長短支持具４、５においては、内部押さえ金具１３を除いて、長脚金具８、短脚金具９、内部受け金具１２のみを予めベース金具７の縦板７ｂに連設して緩く組み立てておくか、座金具６及びベース金具７を折板屋根３０に固定した後であってソーラーパネル２０を内部受け金具１２に載置する前までに、緩く組み立てればよい。
【００６３】
次に、ソーラーパネル２０の底部２０ｅを端部長短支持具２、３の受け金具１０の起立部１０ｂに係止するように受け金具１０に嵌めるとともに、内部長短支持具４、５の一方の起立部（左起立部１２ｂ）に底部２ｅを係止するように内部受け金具１２上に載置する。その後、内部長短支持具４、５において、内部押さえ金具１３を組み立てる。
【００６４】
内部長短支持具４、５においては、他方の起立部（右起立部１２ｃ）側の内部押さえ金具１３が内部受け金具１２上に緩く組み立てられているので、他のソーラーパネル２０の底部２０ｅを内部長短支持具４、５の内部受け金具１２の他方の起立部（右起立部１２ｃ）に係止するように内部受け金具１２に嵌めるとともに、ソーラーパネル２０の他方の端部は、別の内部長短支持具４、５の一方の起立部（左起立部１２ｂ）に底部２ｅを係止するように内部受け金具１２上に載置する。その後、他方の内部長短支持具４、５において、内部押さえ金具１３を組み立てる。
【００６５】
このように、ソーラーパネル２０の内部長短支持具４、５への固定を繰り返す。そして、複数枚のソーラーパネル２０の終端は、他端と同様にして、端部長短支持具２、３に固定する。これにより、複数枚のソーラーパネル２０、２０、・・・は、ソーラーパネル用固定具１を介して、折板屋根３０に固定される。
【００６６】
なお、端部長短支持具２、３及び内部長短支持具４、５の各ボルト１５、１５ａ、各ナット１６、１６ａの締め付けは、ソーラーパネル２０を各支持具に載置した後、適宜行えばよい。
【符号の説明】
【００６７】
１      ソーラーパネル用固定具
２      端部長支持具
３      端部短支持具
４      内部長支持具
５      内部短支持具
６      座金具
６ａ    上板
６ｂ    傾斜板
６ｃ    穴
７      ベース金具
７ａ    底板
７ｂ    縦板
７ｃ    穴
７ｄ    穴  
８      長脚金具
８ｂ    長垂下部
９      短脚金具
９ａ    上板
９ｂ    垂下部
９ｃ    穴
９ｄ    長孔
１０    受け金具
１０ａ  平板
１０ｂ  起立部
１０ｃ  穴
１１    押さえ金具
１１ａ  上板
１１ｂ  縦板
１１ｃ  穴
１２    内部受け金具
１２ａ  平板
１２ｂ  左起立部
１２ｃ  右起立部
１２ｄ  穴
１３    内部押さえ金具
１３ａ  底板
１３ｂ  左逆Ｌ字部
１３ｃ  右逆Ｌ字部
１３ｄ  穴
１４    留め具
１４ａ  ボルト
１４ｂ  内傘
１４ｃ  外傘
１４ｄ  ナット
１５    ボルト
１５ａ  ボルト
１６    ナット
１６ａ  ナット
１６ｂ  ナット
１７    ワッシャー
１７ａ  バネワッシャー
２０    ソーラーパネル
２０ａ  モジュール
２０ｂ  枠
２０ｃ  挟持部
２０ｄ  側壁
２０ｅ  底部  
３０    折板屋根
３０ａ  山部
３０ｂ  平坦部
３０ｃ  谷部
３０ｄ  傾斜部
３０ｅ  穴
４０    枠状架台
【図１】
2014047570.tif 000003
【図２】
2014047570.tif 000004
【図３】
2014047570.tif 000005
【図４】
2014047570.tif 000006
【図５】
2014047570.tif 000007
【図６】
2014047570.tif 000008
【図７】
2014047570.tif 000009
【図８】
2014047570.tif 000010
【図９】
2014047570.tif 000011